(57)【要約】  靴（８）の中に取外し可能に敷かれるように意図されたインソール（１）であって、前記インソールは長く薄い本体（２）と、前記本体（２）に埋め込まれた振動装置（４）とを備え、前記振動装置（４）が、蓄電池（１２）と、制御システム（１４）と、振動発生器（１６）とを備えているインソールを提供する。
2012514509.tif 000002
【特許請求の範囲】
【請求項１】
靴（８）の中に取外し可能に敷かれるように意図されたインソール（１、１０１）であって、
長く薄い本体（２）と、前記本体（２）に埋め込まれた振動装置（４、１０４）とを備え、
前記振動装置（４、１０４）が、
蓄電池（１２、１１２）と、制御システム（１４）と、振動発生器（１６）とを有し、
前記蓄電池（１２、１１２）を前記振動発生器（１６）に電気的に接続する可撓フィルム（２０）を有している、インソール。
【請求項２】
前記可撓フィルム（２０）が、前記振動装置（４、１０４）のその他の要素（１２、１４、１６、１８、２２、１１２、１１８、１２２）がそこに固定され、導電路（２８、２９、３０ａ、３０ｂ）を有している基板を形成する、請求項１に記載のインソール。
【請求項３】
長手方向（Ｘ）を有し、前記振動発生器（１６）が、前記長手方向（Ｘ）に平行に延在している２つの前記導電路（３０ａ、３０ｂ）に固定されている、請求項２に記載のインソール。
【請求項４】
前記本体（２）が、その中に前記振動装置（４）が配置されている空洞部（１０）を有しており、
前記可撓フィルム（２０）には、それを前記空洞部（１０）の奥端面（１０ａ）に保持する接着剤が塗られている、請求項１〜３のいずれか一項に記載のインソール。
【請求項５】
前記振動装置（１０４）が前記本体（２）の中に組み込まれている、請求項１〜３のいずれか一項に記載のインソール。
【請求項６】
前記振動装置（１０４）が、さらに、前記制御システム（１４）に接続されている電磁波受信器（１２２）を備え、
電磁波（１２４）を介して伝送された指令を前記制御システム（１４）に伝達するように設計されている、請求項１〜５のいずれか一項に記載のインソール。
【請求項７】
前記蓄電池（１１２）は、電磁誘導（１１８）によって再充電可能である、請求項１〜６のいずれか一項に記載のインソール。
【請求項８】
前記蓄電池（１２）は、再充電タイプであって再充電用の電気コネクタ（１８）に接続されている、請求項１〜６のいずれか一項に記載のインソール。
【請求項９】
前記制御システム（１４）が、少なくとも、
３５〜５０ヘルツの第１の周波数範囲と、
５０〜６５ヘルツの第２の周波数範囲との振動を発生するように、
前記振動発生器（１６）に選択的に指令する、請求項１〜８のいずれか一項に記載のインソール。
【請求項１０】
ヒール領域（１ａ）と足底領域（１ｂ）とを有する請求項１〜９のいずれか一項に記載のインソールであって、
前記蓄電池（１２、１１２）が薄く平坦で前記ヒール領域（１ａ）に配置され、
前記振動発生器（１６）が前記足底領域（１ｂ）に配置されている、インソール。
【請求項１１】
前記振動装置（４、１０４）が、４ミリメートル未満、有利には２ミリメートル未満の厚さ（ｅ）を有している、請求項１〜１０のいずれか一項に記載のインソール。
【請求項１２】
様々な靴のサイズに適合するように、周縁に少なくとも１つの事前切込み線（３２）を有している、請求項１〜１１のいずれか一項に記載のインソール。
【請求項１３】
請求項１〜１２のいずれか一項に記載のインソール（１、１０１）と、リモートコントローラ（２４）とを備えるアセンブリであって、
前記振動装置（４）が、また、前記制御システム（１４）に接続されるとともに、前記リモートコントローラ（２４）によって発信された指令を前記制御システム（１４）に伝達するように設計されている電磁波受信器（２２）を備えている、アセンブリ。
【請求項１４】
前記電磁波受信器（２２）が、さらに、前記リモートコントローラ（２４）へ情報を発信することができる、請求項１３に記載のアセンブリ。
【請求項１５】
前記蓄電池（１１２）が、電磁誘導（１１８）によって前記受信器（２２）を介して再充電可能である、請求項１３または１４に記載のアセンブリ。
【発明の詳細な説明】
【技術分野】
【０００１】
本発明は、振動装置を有するとともに、ユーザの足に接触するように靴の中に取外し可能に配置されるよう意図され、それによって、ユーザの快適さまたは健康状態を改善するインソールに関する。このユーザは、成人（男性もしくは女性）または子供、あるいは赤ん坊であってもよい。
【背景技術】
【０００２】
靴の分野では、用語「インソール」は、靴の外観を改善するために靴の内側であって靴底上に敷かれる薄い革製品であると理解されている。
【０００３】
本発明は、靴に敷くように意図されたインソールを対象とするが、その靴は、スリッパ、高級靴、または専用シューズ（作業靴、オートバイブーツ、スポーツシューズ、競技用シューズ、カーレースシューズ、ゴルフシューズ、乗馬靴、またはスキーブーツ）のいずれであってもよい。
【０００４】
インソールは、特にホテルまたは飛行機の中にいる場合、身体の低部に血液が溜まるのを防止するため足を刺激するのに使用でき、一方でまた、特にインソールがスキーブーツやスリッパの中に敷かれた場合には足を温めるのに使用できる。インソールはまた、特に心臓病分野では治療目的に使用することができる。
【０００５】
特に文書、米国特許出願公開第２００８／００５９３６号によって１つのインソールが既に周知であり、このソールは、長く薄い本体と、本体内に埋め込まれた振動装置とを備え、振動装置は、蓄電池と、制御システムと、振動発生器とを有している。
【０００６】
用語「埋め込まれた」は、振動装置が、本体から突出していないことを意味すると理解されたい。
【０００７】
振動装置をインソールに一体化することによって、第１に、可能な限りユーザの足の近くに振動を集中することができるようになり、それにより感じられる感覚が向上する。
【発明の概要】
【発明が解決しようとする課題】
【０００８】
本発明は、インソールをさらに改良することを目的とし、特に、コストを低減し、ユーザの満足度を向上させその発展を促すことを目的とする。
【課題を解決するための手段】
【０００９】
本発明によれば、振動装置は、蓄電池を振動発生器に電気的に接続する可撓フィルムを備えている。
【００１０】
したがって、インソールの本体への振動装置の埋め込みがより容易になり、それによって、インソールの厚さを減らすことができ、インソールの丈夫さが向上する。
【００１１】
本発明の別の特徴によれば、可撓フィルムは、好ましくは、そこに振動装置のその他の要素が固定されるとともに導電路を有する基板を形成する。
【００１２】
それによって、さらに、本体への振動装置の埋め込みが容易になる。
【００１３】
本発明の補完的な特徴によれば、インソールは長手方向を有しており、その長手方向に平行に延在する２つの導電路に振動発生器が固定される。
【００１４】
それによって、インソールのサイズに応じて、可撓フィルム上の振動発生器の位置を容易に調節することができる。
【００１５】
本発明の別の特徴によれば、本体は、その中に振動装置が配置される空洞部を有しており、可撓フィルムには、それを空洞部の奥端面に保持させる接着剤が塗られている。
【００１６】
それによって、振動装置が、本体の空洞部内に容易に保持される。
【００１７】
別法として、振動装置は、好ましくは、本体の中に完全に組み込まれている。
【００１８】
用語「組み込まれた」は、振動装置の全体が、本体によって（例えば、本体を形成する材料でオーバーモールドすることによって）覆われていることを意味すると理解されたい。したがって、振動装置は、完全に本体内に保持され保護される。
【００１９】
本発明の別の特徴によれば、好ましくは振動装置は、さらに、制御装置に接続されている電磁波受信器を有しており、電磁波を介して伝送された指令を制御システムに伝達するように設計されている。
【００２０】
電磁波は、接点を必要とすることなく本体を貫通して伝送され、したがって、制御システムは、本体の中に完全に包まれているにもかかわらず、容易に指令を受信することができる。
【００２１】
別の補完的特徴によれば、好ましくは、蓄電池が電磁誘導で再充電できる。
【００２２】
この解決策によって、蓄電池を、接点なしで容易に再充電できる。
【００２３】
本発明の別の特徴によれば、蓄電池は、好ましくは、再充電タイプであり、再充電用の電気コネクタに接続される。
【００２４】
それにより、振動装置の耐用年数が増し、蓄電池の大きさを低減させることができる。
【００２５】
本発明のさらに別の特徴によれば、制御システムは、少なくとも、３５〜５０ヘルツの第１の周波数領域および５０〜６５ヘルツの第２の周波数領域の周波数を発生するように振動発生器に選択的に指令する。
【００２６】
振動が治療効果を有することがあり、また、その効果は周波数によって異なることが分かった。様々な周波数の振動を発生できるようにすることで、所望の効果を設定することが容易になる。とりわけ、３５〜５０ヘルツ好ましくは４０〜４５ヘルツの振動は骨粗鬆症の治療に特に効果があり、５０〜６５ヘルツ好ましくは５５〜６０ヘルツの振動は糖尿病の治療に特に効果がある。
【００２７】
本発明の別の特徴によれば、インソールは好ましくは、ヒール領域と足底領域とを有しており、蓄電池は薄く平坦でヒール領域に配置され、振動発生器は足底領域に配置されている。
【００２８】
この配置によって、振動を足に十分に伝播させることが可能となり、薄いインソールを達成することができる。
【００２９】
好ましくは、振動装置は、４ミリメートル未満、極めて好ましくは２ミリメートル未満の厚さを有している。
【００３０】
それにより、インソールを、足に有効な容積を実質的に減らすことなく、靴の内部に滑り込ませることができ、一方、良好な耐久性も確保される。したがって、本インソールは、振動装置を備えたインソールを受け入れるようには設計されていない既存モデルの靴内に敷くことができる。その結果、特別な完成靴を製造する必要がなく、それによって靴の発展性が助長される。それでも本インソールは、靴内に確実に取り付けることができる。
【００３１】
本発明の別の特徴によれば、インソールは、様々な靴のサイズに適合するために、周縁に少なくとも１つの事前切込み（プレカット）線を有している。
【００３２】
本発明はまた、インソールに加えて、リモートコントローラを備えているアセンブリに関する。本発明によれば、振動装置はまた、制御システムに接続され、リモートコントローラによって発信された指令を制御システムに伝達するように設計されている電磁波受信器を備えている。
【００３３】
それによって、靴内のユーザの足によってインソールが完全に覆われているときでも、振動を制御することができる。
【００３４】
本発明の別の特徴によれば、好ましくは、電磁波受信器は、さらに、リモートコントローラに情報を発信することができる。
【００３５】
本発明の別の特徴によれば、好ましくは、蓄電池は、電磁波受信器を介して電磁誘導によって再充電可能である。
【００３６】
本発明のさらなる特徴および利点が、添付図面を参照して、以下の詳細な説明から明らかになるであろう。
【図面の簡単な説明】
【００３７】
【図１】本発明による第１の実施形態におけるアセンブリの、図２の線Ｉ−Ｉに沿った断面図である。
【図２】第１の実施形態によるアセンブリの上視概略図である。
【図３】本発明による第２の実施形態におけるアセンブリの、図４の線ＩＩＩ−ＩＩＩに沿った断面図である。
【図４】第２の実施形態によるアセンブリの上視概略図である。
【発明を実施するための形態】
【００３８】
図１および図２は、靴８の内部に配置され、長手方向Ｘに延在しているインソール１を示している。インソール１は、遠くからリモートコントローラ２４によって作動させることができる振動装置４を備えている。
【００３９】
靴８は、地面と接触するように意図されるとともに、ユーザの足が接触するようになされたインソール１を支持する靴底（アウトソール）６を有している。インソール１は、ユーザの足を保持するように意図された靴の内部空間に緊密に挿入されている。明瞭化のために、図２ではインソールの厚さを増やしている。
【００４０】
インソール１は、実質的に一定の厚さの長く薄い本体２を有している。この本体２は、実質的に平らであり、ユーザの足のアーチに合うように僅かな湾曲を有している。本体２は空洞部１０を有し、この空洞部１０は、靴底６の方に開口し、振動装置４が取り付けられる奥端面１０ａを有している。
【００４１】
振動装置４は、基本的に、可撓性で準剛性の基板を形成するフィルム２０を有しており、このフィルム２０上に、蓄電池１２、制御システム１４、振動発生器１６、電気コネクタ１８、および電磁波送受信器２２が保持される。導電路２８は、蓄電池１２、振動発生器１６、および電磁波送受信器２２を、制御システム１４に接続している。別の導電路２９が電気コネクタ１８を蓄電池１２に接続している。この後者の導電路は、別法として、制御システム１４経由で通されていてもよい。これらの導電路は、フィルム２０上に蒸着されている。
【００４２】
蓄電池１２は、電気プラグを電気コネクタ１８に挿入することによって再充電される再充電式バッテリブロックで構成されている。蓄電池１２は、実質的に矩形の断面を有しており、２ミリメートル未満、好ましくは約１０分の数ミリメートルの厚さを有している。蓄電池１２は、好ましくは、１０平方センチメートル未満の断面積を有している。蓄電池１２は、有利には、リチウムポリマー、リチウムイオン、またはニッケルカドミウムで構成されており、好ましくは、サーミスタによって保護されている。
【００４３】
電磁波送受信器２２は、赤外線、無線周波数、ｗｉｆｉ、ブルートゥースなどによってリモートコントローラ２４から発信された電磁波を受信する。有利には、電磁波送受信器２２とリモートコントローラ２４との間の電磁波の伝播を強化するために、通路２６が本体２を貫通して設けられている。電磁波送受信器はまた、情報（例えば、蓄電池１２の充電状態、作動時間、インソール１の別々の領域上の足の圧力（振動発生器１６または個々のセンサによって検知される）など）をリモートコントローラ２４へ送信することができる。その情報は、リモートコントローラ２４に表示されてもよいし、リモートコントローラ２４に接続されたコンピュータにＵＳＢポート、ｗｉｆｉ波などによって伝送されてもよい。
【００４４】
振動発生器１６は、選択的に、少なくとも２つの周波数を発生することができる。その厚さを減少させるために、振動発生器１６は、電磁石または圧電素子を有する平面タイプのものが好ましいが、コイルタイプでもよく、またはカウンタウェイトモータ、偏心モータなどで構成されてもよい。
【００４５】
制御システム１４は、振動発生器１６を始動させまたは停止させる。好ましくは、制御システム１４はまた、振動発生器１６の振動の強さと周波数とを変化させる。制御システム１４は、任意選択で、プロセッサを備えることもできる。
【００４６】
制御システム１４は、リモートコントローラ２４から受信した信号に応じて振動発生器１６に指令を行うことが好ましく、この指令は、３５〜５０ヘルツの第１の周波数範囲の振動および５０〜６５ヘルツの第２の周波数範囲の振動を、選択的にまたは任意選択で同時に、発生するためのものである。
【００４７】
可撓基板２０は、好ましくは、ポリエチレンテレフタレート（ＰＥＴ）またはポリイミド（ＰＩ）から作られる。可撓基板２０には、それを空洞部１０の奥端面１０ａに固定する接着剤が全体に塗られている。
【００４８】
本体２は、好ましくは、コルクとバインダの混合物、ポリアミド６．６（Ｔｅｆｌｏｎ（登録商標））、アクリロニトリルブタジエンスチレン（ＡＢＳ）、ポリ塩化ビニル（ＰＶＣ）、またはプラスチックと天然ゴムの組合せから構成される。本体２は、好ましくは、膨張式材料または発泡タイプの材料から構成される。さらに、本体２は、非膨張式材料好ましくはポリ塩化ビニル（ＰＶＣ）で作られた、ユーザの足に接触するように意図された薄い層によって覆われていることが好ましい。
【００４９】
インソール１は、ユーザのかかとを受けるヒール領域１ａと、ユーザの足の裏を受ける足底領域１ｂとを有している。蓄電池１２はヒール領域１ａに配置され、振動発生器１６は足底領域（プランター領域）１ｂに配置され、振動装置４のその他の要素はその２つの間に配置されている。
【００５０】
振動装置４が空洞部１０内に埋め込まれ（沈められ）ていること、すなわち、振動装置４が空洞部１０から突出していないことに留意されたい。振動装置４は、５ミリメートル未満、有利には３ミリメートル未満、好ましくは１ミリメートル未満の厚さｅを有している。
【００５１】
インソール１は、靴底６上の全体に重なっていてもよいし、一点鎖線２’によって示されているように靴底６の前端部で終わっていてもよい。
【００５２】
図３および図４に示されているインソール１０１は、図１および図２に示されているインソール１の変形形態を構成している。同一の要素は同一の参照番号を有している。インソール１の要素とは異なるが、それに対応するインソール１０１の要素は１００だけ増やした参照番号を有している。
【００５３】
インソール１０１は、次の点でインソール１とは本質的に異なっている：振動装置１０４が、本体の空洞部内に沈められているのではなく外部から見ることができないように本体２の中に完全に包まれている。
【００５４】
インソール１０１は、詳細には、モールドの中に振動装置１０４を配置するとともに、それを本体２の材料の中に包み込むことによって作られていてもよい。
【００５５】
さらに、振動装置１０４が完全に本体２の中に包まれているので、インソール１０１は無接点タイプである。
【００５６】
したがって、蓄電池１１２は、蓄電池１１２から僅かに離れて配置された電磁波発生器１１８を用いて誘導によって再充電されてもよい。蓄電池１１２を再充電するために、有利には、図示のように電磁波発生器１１８が靴８の中に配置されてもよいし、あるいは靴８の下方に配置されてもよく、この場合、電磁波発生器１１８は靴がその上に置かれるマット２１８の形態であることが好ましい。電磁波送受信器が、電磁発生器１１８、２１８によって発信された電磁波を受信するとともに、蓄電池１１２を充電するためにその電磁波で生成されるエネルギーを蓄電池１１２に送ることができることが好ましい。
【００５７】
また、電磁波送受信器１２２が磁界受信器を備え、アセンブリがリモートコントローラ２４の代わりにリモートコントロール装置１２４を備えており、そのリモートコントロール装置１２４は磁界発生器、好ましくは永久磁石を有している。振動発生器１６の様々な範囲の周波数および／または強度は、電磁波送受信器１２２によって受信された信号の関数として、制御システムによって制御される。それら範囲は、たとえば、電磁波送受信器１２２に対向するリモートコントロール装置１２４のパッセージ（ｐａｓｓａｇｅ）の数の関数として、連続的に選択可能である。さらに、リモートコントロール装置１２４を電磁波送受信器１２２に対向させて比較的長時間（制限時間を超えて）保持することによって、振動発生器１６が停止されてもよい。
【００５８】
さらに、振動発生器１６は２つの導電路３０ａ、３０ｂに固定されており、この導電路３０ａ、３０ｂは互いに平行でかつ距離をおいた、長手方向Ｘに延在する細片を形成している。
【００５９】
さらに、本体２の周縁は、インソール１０１の寸法を修正するために本体２の一部を切り離す事前切込み線３２を、長手方向の前端部に有している。
【００６０】
振動装置１０４はまた、任意選択の再充電装置１２６を備えている。再充電装置１２６は、インソール１０１を押圧する足の機械的（運動）エネルギーおよび／または足の熱エネルギーを電気エネルギーに変換する。好ましくは、運動エネルギーを電気エネルギーに変換するために、再充電装置１２６は圧電素子を備えており、また熱エネルギーを電気エネルギーに変換するために、再充電装置は逆ペルチエ効果によって作動する。再充電装置１２６は、蓄電池１１２を再充電するのに十分であり、その結果、電磁波発生器１１８を用いて蓄電池を再充電する必要がなくなることもある。
【００６１】
図３、図４に示されている、図１、図２のインソール１に関するインソール１０１の様々な変更は、それぞれ独立にインソール１に適用することができることに留意されたい。
【図１】
2012514509.tif 000003
【図２】
2012514509.tif 000004
【図３】
2012514509.tif 000005
【図４】
2012514509.tif 000006
【国際調査報告】
2012514509.tif 000007
2012514509.tif 000008
2012514509.tif 000009